(57)【要約】【課題】操作がし易く、安定したレンズの押出しが可能であるとともに、レンズにおける様々な形状の前側支持部に対してその巻き込みを回避できる挿入器具を提供する。【解決手段】挿入器具は、レンズ１を保持するレンズ保持部１１，１３と、レンズを眼内に送り出す先端開口１２ａを有し、レンズ保持部から該先端開口に向かって移動するレンズを変形させるノズル部１２と、レンズをレンズ保持部から先端開口に向かって移動させる押出し軸１５とを有する。レンズ保持部は、押出し軸によってレンズが該レンズ保持部から先端開口側に移動されて、レンズに設けられた２つの支持部１ｂ，１ｃのうち光学部１ａよりも先端開口側に位置する前側支持部１ｂの先端１ｂｔがノズル部の内面１２ｂに最初に接触するときに、前側支持部の先端での接線Ｔがノズル部の内面に対してなす先端開口側の角度θが９０度以上となるようにレンズを保持する。【選択図】図３
2010017459.tif 000002
【特許請求の範囲】
【請求項１】
光学部と、先端が自由端であるとともに湾曲した形状を有し、前記光学部を眼内で支える２つの支持部とを有する眼内挿入用レンズを眼内に挿入する挿入器具であって、
前記レンズを保持するレンズ保持部と、
前記レンズを眼内に送り出す先端開口を有し、前記レンズ保持部から該先端開口に向かって移動する前記レンズを変形させるノズル部と、
前記レンズを前記レンズ保持部から前記先端開口に向かって移動させる押出し軸とを有し、
前記レンズ保持部は、前記押出し軸によって前記レンズが該レンズ保持部から前記先端開口側に移動されて、前記２つの支持部のうち前記光学部よりも前記先端開口側に位置する前側支持部の前記先端が前記ノズル部の内面に最初に接触するときに、該前側支持部の前記先端での接線が前記内面に対してなす先端開口側の角度が９０度以上となるように前記レンズを保持することを特徴とする眼内挿入用レンズの挿入器具。
【請求項２】
請求項１に記載の挿入器具と、
前記レンズ保持部により保持された眼内挿入用レンズとを含むことを特徴とする眼内挿入用レンズ内装型挿入器具。
【請求項３】
請求項１に記載の挿入器具を準備する工程と、
眼内挿入用レンズを前記レンズ保持部に保持させる工程とを含むことを特徴とする眼内挿入用レンズ内装型挿入器具の製造方法。
【発明の詳細な説明】
【技術分野】
【０００１】
本発明は、白内障により摘出された水晶体の代わりに挿入されたり、屈折異常を矯正する等の目的で眼内に挿入されたりする眼内挿入用レンズを眼内に挿入するための挿入器具に関する。
【背景技術】
【０００２】
白内障の手術では、眼球の前嚢の中心部を切除し、白濁した水晶体を除去した後、そこに人工の眼内挿入用レンズ（以下、単にレンズともいう）を配置する。手術では、器具本体に装填されたレンズを押出し軸によって該器具本体内を移動させながら小さく変形させ、眼球に形成された小さな切開創に差し込まれたノズル部（挿入筒）の先端開口から該レンズを眼内に押し出す挿入器具が多く用いられる。このような挿入器具は、白内障の手術だけではなく、視力補正治療等での眼内挿入用レンズの挿入手術においても用いられる。
【０００３】
また最近では、レンズが予め器具本体内のレンズ保持部に設置された状態で保管され、手術時に押出し軸を操作するだけでレンズを眼内に挿入することができるレンズ内装型挿入器具も用いられている。レンズ内装型挿入器具を用いることで、手術時にレンズを挿入器具内に設置する面倒な作業を不要とすることができる。
【０００４】
図５（ａ）に示すように、眼内挿入用レンズ１０１は、レンズとして機能する光学部１０１ａと、眼内で光学部１０１ａを支持する一対の支持部１０１ｂ，１０１ｃとを有する。各支持部は、例えば先端が自由端であり、湾曲した形状を有する線状（ループ状）の可撓性部材により形成されている。
【０００５】
そして、図５（ｂ），（ｃ）に示すように、レンズ１０１は、器具本体内のレンズ保持部１０２ｂに、光学部１０１ａに対してノズル部１０２の先端開口１０２ａ側とその反対側とに支持部１０１ｂ，１０１ｃが位置するように設置される。
【０００６】
レンズ１０１をレンズ保持部１０２ｂから先端開口１０２ａに向けて押出し軸１０３により移動させながら小さく変形させる（折り畳む）際に、先端開口１０２ａ側に配置された支持部（以下、前側支持部という）１０１ｂがノズル部１０２の内面に引っかかって光学部１０１ａ側に巻き込まれる場合がある。これにより、レンズ１０１の押し出しがスムーズに行えなくなったり、前側支持部１０１ｂによって光学部１０１ａが傷つけられたりするおそれがある。また、前側支持部１０１ｂが過度に折り曲げられることにより、眼内に押し出された後で、前側支持部１０１ｂが正常な形状に復帰できなくなるおそれもある。
【０００７】
これらの不都合を回避するため、特許文献１には、レンズを保持位置から押出し軸による押出しが可能となる使用位置に移動させる（押出し方向に対して直交する方向に移動させる）際に、前側支持部の先端をノズル部の先端開口に向かって延ばす構造を有する挿入器具が開示されている。
【特許文献１】特開２００５−１３１１４７号公報
【発明の開示】
【発明が解決しようとする課題】
【０００８】
しかしながら、特許文献１にて開示された構造は、レンズを保持位置から使用位置に移動させる操作を行うタイプの挿入器具において実現可能なものである。このため、その操作を行わないタイプの挿入器具、例えば、レンズを保持位置から直接押出し軸によって先端開口側に移動させる、いわゆる直押出しタイプの挿入器具には上記構造を適用できない。また、前側支持部をノズル部の内面の形状によって先端開口側にうまく延ばすためには、保持位置での前側支持部の湾曲を緩くしておいたり前側支持部の先端の向きを光学部に対して開きぎみに設定しておいたりする等、前側支持部の形状に制約が生ずる。
【０００９】
ノズル部のうちその中心軸を挟んだ両側の内面に非対称なテーパーを設け、かつ該テーパーを緩やかにして、レンズをゆっくりと移動させることにより、前側支持部が光学部側に大きく巻き込まれないようにすることも可能である。
【００１０】
しかしながら、この方法では、ノズル部の内面の非対称なテーパーによって先端開口に向かって移動するレンズが回転しやすくなり、安定したレンズの押出しを行うことが難しい。また、テーパーを緩やかにするためにはノズル部の長さを長くする必要があるが、この結果、押出し軸の操作量が増加し、かつゆっくりとした操作が要求され、押出し軸の操作が難しくなる。
【００１１】
本発明は、直押出しタイプの挿入器具にも採用できる構造を有し、操作がし易く、安定したレンズの押出しが可能であるとともに、様々な形状の前側支持部に対してその巻き込みを回避できるようにした挿入器具を提供する。
【課題を解決するための手段】
【００１２】
本発明の一側面としての挿入器具は、光学部と、先端が自由端であるとともに湾曲した形状を有し、光学部を眼内で支える２つの支持部とを有する眼内挿入用レンズを眼内に挿入する挿入器具である。該挿入器具は、レンズを保持するレンズ保持部と、レンズを眼内に送り出す先端開口を有し、レンズ保持部から該先端開口に向かって移動するレンズを変形させるノズル部と、レンズをレンズ保持部から先端開口に向かって移動させる押出し軸とを有する。レンズ保持部は、押出し軸によってレンズが該レンズ保持部から先端開口側に移動されて、２つの支持部のうち光学部よりも先端開口側に位置する前側支持部の先端がノズル部の内面に最初に接触するときに、該前側支持部の先端での接線がノズル部の内面に対してなす先端開口側の角度が９０度以上となるようにレンズを保持することを特徴とする。
【００１３】
なお、上記挿入器具であって、レンズ保持部により保持された眼内挿入用レンズを含む眼内挿入用レンズ内装型挿入器具も本発明の他の一側面を構成する。さらに、該挿入器具を準備する工程と、眼内挿入用レンズをレンズ保持部に保持させる工程とを含む眼内挿入用レンズ内装型挿入器具の製造方法も本発明の他の一側面を構成する。
【発明の効果】
【００１４】
本発明によれば、ノズル部の内面を単純な形状に形成しつつも、レンズをレンズ保持部から押出し軸によって移動させるだけで、レンズの前側支持部の自由端をノズル部の先端開口の方向に延ばすことができる。これにより、直押出しタイプの挿入器具にも採用でき、操作がし易く、かつ安定したレンズの押出しが可能な挿入器具を実現することができる。また、本発明によれば、様々な形状を有する前側支持部の光学部側への巻き込みを容易に回避することができる。
【００１５】
さらに、本発明によれば、ノズル部内を移動するレンズの前側支持部の自由端をノズル部の先端開口の方向に延ばすので、ノズル部における軸方向に直交する断面積（ノズル径）を小さくすることができる。これにより、眼球に形成する切開創をより小さくすることができる。
【発明を実施するための最良の形態】
【００１６】
以下、本発明の実施例について図面を参照しながら説明する。
【実施例１】
【００１７】
図１には、本発明の実施例１である眼内挿入用レンズの挿入器具を示す。図１の上側の図は上面図、下側の図は側面図である。なお、以下の説明において、ノズル部側を先端側又は先方といい、ノズル部側とは反対側を後端側又は後方という。また、先端側と後端側に延びる方向を該挿入器具の軸方向といい、軸方向に直交する方向を上下方向や左右方向又は径方向という。
【００１８】
挿入器具１０は、本体筒部１４と、カートリッジノズル部（以下、単にノズル部という）１２と、レンズカバー部（レンズ収容部）１３と、レンズ保持部材１１と、押出し軸１５とにより構成されている。本体筒部１４の先端には、レンズカバー部１３が組み付けられ、さらにレンズカバー部１３の先端にはノズル部１２が組み付けられている。本体筒部１４とレンズカバー部１３とノズル部１２とにより挿入器具１０の本体が構成される。
【００１９】
なお、本実施例では、本体筒部１４とレンズカバー部１３とノズル部１２がそれぞれ別体として製作され、その後互いに組み付けられるようにしたが、これらを一体部品として製作してもよい。
【００２０】
本体筒部１４の後部には、押出し軸１５を押し込み操作する際に、手で支える部分としてのツバ部１４ａが形成されている。
【００２１】
ノズル部１２は、先端方向に向かって徐々に内外径が小さくなっていく形状を有し、その先端開口１２ａから後方に向かって所定の長さの部分までは、眼球に形成された切開創を通して眼内に挿入される眼内挿入部分として、ノズル部１２のうち最も細く形成されている。ノズル部１２は、その内部を先端開口１２ａに向かって移動する眼内挿入用レンズ（以下、単にレンズという）１を、該ノズル部１２の内面によって折り畳んで小さく変形させ、先端開口１２ａから該レンズ１を眼内に射出する。
【００２２】
なお、挿入器具１０の本体内には、レンズ１の変形及び押し出しのための潤滑剤として、またレンズ１が挿入される眼球の前房内の空間を広げるための眼内注入液として、ヒアルロン酸ナトリウム等の粘弾性物質や生理食塩水等の液体がノズル部１２の先端開口１２ａ等の開口から注入される。
【００２３】
レンズカバー部１３の内側には、レンズ１を保持したレンズ保持部材１１が、本体筒部１４の後端開口を通して挿入される。レンズ保持部材１１は、レンズカバー部１３の内側の所定位置に挿入された状態で、該レンズカバー部１３の内面形状によって保持される。レンズ保持部材１１は、レンズカバー部１３内に挿入されることで、レンズカバー部１３とともに挿入器具１０のレンズ保持部を構成する。
【００２４】
レンズ保持部材１１は、図２に示すように、レンズ１（特に光学部１ａ）に実質的に応力が作用せず、かつ押出し軸１５による押出し前にレンズカバー部１３内で軸方向に移動したり軸方向に対して回転したり、保持されている状態からレンズ１をその光学部１ａの中心（光軸方向：図２の上面図に示す紙面に垂直な軸）を軸としてさらに回転したりしないように該レンズ１を保持する。これにより、レンズ１をレンズカバー部１３内でレンズ保持部材１１に保持させた状態で、挿入器具１０を保管することができる。
【００２５】
なお、レンズ１とともに本体内に挿入されるレンズ保持部材１１は、本発明において必ずしも必要なわけではない。例えば、レンズカバー部（レンズ保持部）の内面形状を上述したようにレンズを保持できる形状とすることで、レンズ保持部材１１を用いなくてもよい。この場合、レンズカバー部に開閉可能な蓋（例えば、ヒンジを有する開閉蓋）を設け、該蓋を開けた状態でレンズカバー部内にレンズを設置し、該蓋を閉めてレンズの保持を行うようにしてもよい。
【００２６】
レンズ１は、図４に示すように、レンズとしての機能を有する光学部１ａと、該光学部１ａの両側から延出した、それぞれ湾曲した形状を有する２つの支持部１ｂ，１ｃとにより構成されている。各支持部は、該レンズ１が眼内に挿入された後、光学部１ａを眼内で弾性的に支持するための線状の部分であり、各支持部の先端１ｂｔ，１ｃｔは自由端となっている。また、光学部１ａの周囲には、互いに平行な上下の面を有する辺縁部１ｄがリング状に形成されている。
【００２７】
レンズ保持部材１１は、図１及び図２に示すように、支持部１ｂが光学部１ａよりも先端側（ノズル部１２の先端開口１２ａ側）に位置するようにレンズ１を保持する。なお、以下の説明において、支持部１ｂを前側支持部といい、支持部１ｃを後側支持部という。また、レンズ保持部材１１は、光学部１ａの辺縁部１ｄを支えることで、光学部１ａに実質的に応力が作用しないように光学部１ａを保持する。
【００２８】
押出し軸１５は、レンズ１を先端開口１２ａに向かって押して移動させるための操作部材である。該押出し軸１５は、ノズル部１２内を通過するために外径が細い細軸部と、本体筒部１４の内面によって軸方向に移動可能に支持される太軸部とを有する。細軸部の先端には、レンズ１（光学部１ａ）を把持するための二股部１５ａが形成されている。押出し軸１５は、レンズ１を保持したレンズ保持部材１１を本体筒部１４の後端開口から挿入した後、該後端開口から本体筒部１４内に挿入される。
【００２９】
押出し軸１５の本体に対する押し込み前の状態（初期状態）では、二股部１５ａは、レンズカバー部１３内にてレンズ保持部材１１により保持されたレンズ１よりも若干後方に位置する。
【００３０】
次に、図３を用いて、レンズ１の眼内への押出しについて説明する。図３において、（ａ）は初期状態から押出し軸１５を若干押し込んだ状態を示している。この状態では、押出し軸１５の二股部１５ａによって光学部１ａの後部が挟まれたレンズ１が、レンズ保持部材１１による保持位置よりも若干先方（先端開口１２ａ側）に移動している。このとき、レンズ１の前側支持部１ｂの先端１ｂｔは、まだノズル部１２の内周面（内壁面：以下、ノズル内面という）１２ｂに接触していない。
【００３１】
（ｂ）は、（ａ）の状態からさらに押出し軸１５を押し込んだ状態を示している。この状態では、（ａ）の状態よりも先方に移動したレンズ１の光学部１ａにおける幅方向（軸方向に直交する方向）の両端部分が、ノズル内面１２ｂによって、該光学部１ａの幅方向中央部分に対して折り曲げられている。
【００３２】
そして、この状態で、レンズ１の前側支持部１ｂの先端１ｂｔが、初期位置からのレンズ１の押出しにおいて、ノズル内面１２ｂに最初に接触する。このとき、前側支持部１ｂの先端１ｂｔでの接線Ｔがノズル内面１２ｂ（先端１ｂｔが接触した部分）に対してなす先端開口１２ａ側の角度θが、９０度以上の角度になっている。
【００３３】
このようにレンズ１を押出し軸１５によって移動させるだけで（ｂ）に示す状態を作り出すためには、初期状態におけるレンズ保持部材１１（つまりはレンズ保持部）によるレンズ１の保持の仕方が重要である。
【００３４】
このため、本実施例では、レンズ保持部材１１は、押出し軸１５によってレンズ１がレンズ保持部から先端開口１２ａ側に移動されて、前側支持部１ｂの先端１ｂｔがノズル内面１２ｂに最初に接触するときに、前側支持部１ｂの先端１ｂｔでの接線Ｔがノズル内面１２ｂに対してなす先端開口１２ａ側の角度θが９０度以上となるようにレンズ１を保持する。
【００３５】
より具体的には、レンズ保持部材１１は、押出し軸１５によってレンズ１がレンズ保持部材１１から先端開口１２ａ側に移動されて前側支持部１ｂの先端１ｂｔがノズル内面１２ｂに最初に接触したときに、上記角度θが９０度より小さくなるレンズ１の保持状態に対して、該角度θが９０度以上となるようにレンズ１を光学部１ａの周方向に回転させた状態で保持する。
【００３６】
角度θが９０度より小さくなるレンズ１の保持状態に対する、角度θが９０度以上となるレンズ１の回転量は、前側支持部１ｂの長さや形状に応じて適宜設定すればよい。
【００３７】
このように、前側支持部１ｂの先端１ｂｔがノズル内面１２ｂに最初に接触したときの上記角度θが９０度以上となることにより、その後に図３（ｃ）に示すように押出し軸１５を押し進めた際に、前側支持部１ｂがノズル内面１２ｂに引っかかって光学部１ａ側に巻き込まれることを防止することができる。つまり、前側支持部１ｂを図５（ｂ），（ｃ）に示したように過度に折り曲げることなく、先端開口１２ａの方向に延ばしたまま、レンズ１を先端開口１２ａに向かって移動させることができる。これにより、眼内に射出された後のレンズ１の前側支持部１ｂを眼内で正常に機能させることができるとともに、ノズル部１２における軸方向に直交する断面積（ノズル径）を小さくして眼球に形成する切開創を小さくすることができる。
【００３８】
なお、レンズ１の後側支持部１ｃは、図３（ｃ）に示すように、後方に延びた状態でノズル部１２ａ内を進む。このため、後側支持部１ｃがレンズ１のノズル部１２ａ内でのスムーズな移動を妨げたり、後側支持部１ｃの眼内での正常な機能を損なったりすることはほとんどない。
【００３９】
また、レンズ保持部材１１は、レンズ１をその光学部１ａの中心を軸として回転させた状態で保持するため、押出し軸１５の先端部（二股部１５ａ）によって光学部１ａの中心に対して軸方向後方に位置する部分（光学部１ａの中心を通って軸方向に延びる中心線上の部分：以下、中心線上部分という）を押すことができる。しかも、本実施例におけるノズル内面１２ｂは、挿入器具１０の中心軸に関して対称なテーパー形状により形成されている。このため、レンズ１をノズル部１２内で光学部１ａの中心回りで回転させることなくスムーズに押し進めることができる。
【００４０】
なお、角度θが９０度より大きく（例えば、９５度又は１００度以上に）なるようにレンズ保持部材１１によるレンズ１の保持状態（回転量又は回転位置）を設定することがより好ましい。これにより、角度θが９０度になるようにレンズ１の保持状態を設定した場合に比べて、前側支持部１ｂが光学部１ａ側に巻き込まれることをさらに確実に防止することができるとともに、ノズル径をより小さくすることができる。
【００４１】
以上説明したように、本実施例によれば、直押出しタイプの挿入器具１０において、ノズル内面１２ｂの形状を複雑にすることなく、押出し操作がし易く、かつ安定したレンズの押出しを可能とすることができる。
【００４２】
また、本実施例と同様の構成を用いることで、図４に示した形状の支持部を有するレンズに限らず、様々な形状の支持部（オープンＣタイプの支持部やＪタイプの支持部等）を有するレンズにおける前側支持部の光学部側への巻き込みを容易に回避することができる。
【００４３】
なお、本実施例の挿入器具１０は、レンズ１がレンズ保持部内に設置された状態で工場から出荷され、かつ病院で手術時まで保管される眼内挿入用レンズ内装型挿入器具（プリロードタイプ挿入器具）である。
【００４４】
このプリロードタイプ挿入器具は、例えば、図７のフローチャートに示す製造方法によって製造される。
【００４５】
挿入器具１０の製造は、レンズ１の設置前の挿入器具（本体筒部１４、レンズ保持部材１１、ノズル部１２、レンズカバー部１３及び押出し軸１５）を準備する工程（ステップＳ１）を有する。また、レンズ１をレンズ保持部材１１に保持させてレンズカバー部１３内に挿入（設置）する工程（ステップＳ２）を有する。レンズ１を設置した挿入器具１０を滅菌処理し、包装することで、製造工程が完了する（ステップＳ３）
以下、本実施例の挿入器具１０を用いて行った実験の結果を示す。以下の実験では、押出し軸１５によって押されたレンズ１の前側支持部１ｂの先端１ｂｔが最初にノズル部１２の内面１２ｂに接触するときに、前側支持部１ｂの先端１ｂｔでの接線Ｔがノズル部１２の内面１２ｂに対してなす先端開口１２ａ側の角度θが様々な角度になるように、レンズ保持部材１１により保持されたレンズ１の回転位置を変化させた。また、押出し軸１５によってレンズ１を押す位置は、光学部１ａの中心線上部分とした。
【００４６】
（実験１）
実験１では、角度θが６０度になるようにレンズ１をレンズ保持部材１１に保持させ、押出し軸１５によって押し出した。この結果、前側支持部１ｂは、先端１ｂｔがノズル部１２の内面１２ｂに接触した後、光学部１ａ側に巻き込まれた。
【００４７】
（実験２）
実験２では、角度θが８０度になるようにレンズ１をレンズ保持部材１１に保持させ、押出し軸１５によって押し出した。この結果、前側支持部１ｂは、先端１ｂｔがノズル部１２の内面１２ｂに接触した後、光学部１ａ側に巻き込まれた。
【００４８】
（実験３）
実験３では、角度θが９０度になるようにレンズ１をレンズ保持部材１１に保持させ、押出し軸１５によって押し出した。この結果、前側支持部１ｂは、先端１ｂｔが概ねノズル部１２の内面１２ｂに引っかかることなく、ノズル部１２の内面１２ｂに沿って先端開口１２ａ側に延びた。
【００４９】
（実験４，５）
実験４，５ではそれぞれ、角度θが１００度及び１１０度になるようにレンズ１をレンズ保持部材１１に保持させ、押出し軸１５によって押し出した。この結果、いずれの場合も、前側支持部１ｂは、先端１ｂｔがノズル部１２の内面１２ｂにまったく引っかかることなく、スムーズにノズル部１２の内面１２ｂに沿って先端開口１２ａ側に延びた。
【００５０】
以下、上記実験１〜５とは、条件を変えてレンズ１の押出しを行った実験を比較例として説明する。
【００５１】
（比較例１）
レンズ１を全く回転させずにレンズ保持部材１１に保持させ、光学部１ａの中心線上部分を押出し軸１５によって押した。この結果、前側支持部１ｂは、先端１ｂｔがノズル部１２の内面１２ｂに接触した後、光学部１ａ側に巻き込まれた。
【００５２】
（比較例２，３）
レンズ１を全く回転させずにレンズ保持部材１１に保持させ、光学部１ａの中心線上部分から周方向右側及び左側にそれぞれずれた位置を押出し軸１５によって押した。このとき、前側支持部１ｂが光学部１ａ側に巻き込まれないようにした。この結果、レンズ１は光学部１ａの中心回りで左側及び右側にそれぞれ大きく回転してしまい、レンズ１をスムーズに押し進めることができなかった。
【００５３】
上記実験１〜５及び比較例１〜３の結果から、角度θが９０度以上の角度、特に１００度前後以上の角度となるようにレンズ１を予め回転させた状態でレンズ保持部材１１に保持させておくことで、良好な効果が得られることか分かった。さらに、押出し軸１５によってレンズ１を押す位置は、光学部１ａの中心線上部分が最良であることも分かった。
【実施例２】
【００５４】
実施例１では、直押出しタイプの挿入器具について説明したが、本発明は、直押出しタイプ以外の挿入器具にも適用することができる。
【００５５】
図６には、本発明の実施例２である眼内挿入用レンズの挿入器具を示す。図６の上側の図は側面図、下側の図は上面図である。
【００５６】
挿入器具３０は、本体筒部３２と、本体筒部３２の後端開口から本体筒部３２内に挿入された押出し軸３３と、本体筒部３２の先端に組み付けられたレンズ保持部材３１と、レンズ保持部材３１の下部から先方にかけて組み付けられた挿入部材３５とを有する。挿入部材３５の先端には、ノズル部３５ａが形成されている。ノズル部３５ａの先端には、レンズ１を眼内に射出するための先端開口３５ｂが形成されている。
【００５７】
また、挿入部材３５のうちノズル部３５ａ以外の部分はレンズ保持部材３１の下側を覆う形状に形成されており、レンズ保持部材３１とともにレンズ保持部を構成する。
【００５８】
図１の上側の図において、レンズ保持部材３１の内側には、図４に示したレンズ１を押出し軸３３の中心軸よりも上側の位置（以下、保持位置という）にて実質的に応力が作用しない状態で保持するための形状が形成されている。また、レンズ保持部材３１には、保持位置にて保持されたレンズ１を覆うように押圧部材３６が取り付けられている。これにより、レンズ１をレンズ保持部材３１の内側にて保持させた状態で、挿入器具１０を保管することができる。
【００５９】
押圧部材３６は、保持位置にて保持されたレンズ１を押出し軸３３の中心軸上の位置（以下、押出し位置）に移動させるために、レンズ保持部材３１に対して移動(押し込み)可能に取り付けられている。レンズ１を押出し位置に移動させることで、レンズ１の押出し軸３３による押出しが可能となる。レンズ１は、押出し位置では、挿入部材３５の底面形状によって若干変形される。これにより、押出し軸３３により押されてノズル部３５ａ内を通過するレンズ１をスムーズに小さく折り畳むことができる。
【００６０】
このように、本実施例の挿入器具３０は、実施例１の挿入器具１０のように保持状態にあるレンズ１をそのまま押出し軸１５によって押し出すことができる直押出しタイプとは異なり、レンズ１を保持位置から押出し位置に移動させた後に押出し軸３３によって押し出すタイプの挿入器具である。
【００６１】
ただし、押出し位置に移動したレンズ１を押出し軸３３によってノズル部３５ａ内を押し進める際のレンズ１の挙動は、実施例１の挿入器具１０と基本的に同じである。このため、本実施例でも、レンズ保持部は、レンズ１が保持位置から押出し位置に移動された後に、押出し軸３３によって押出し位置（レンズ保持部）からノズル部３５ａの先端開口３５ｂ側に移動されてレンズ１の前側支持部の先端がノズル部３５ａの内面に最初に接触するときに、該前側支持部の先端での接線が該ノズル内面に対してなす先端開口３５ａ側の角度θが９０度以上（より好ましくは９０度より大きい角度すなわち鈍角）になるようにレンズ１を保持する。
【００６２】
より具体的には、レンズ保持部材３１は、保持位置から押出し位置に移動されて押出し軸３３によって押されたレンズ１の前側支持部の先端がノズル内面に最初に接触したときに、上記角度θが９０度より小さくなるレンズ１の保持状態に対して、該角度θが９０度以上（又は９０度より大きい角度）となるようにレンズ１を光学部の周方向に回転させた状態で保持する。
【００６３】
これにより、本実施例の挿入器具３０においても、レンズ１を押出し軸３３によりノズル部３５ａ内を押し進める際に、前側支持部がノズル内面に引っかかって光学部側に巻き込まれることを防止することができる。すなわち、ノズル内面の形状を複雑にすることなく、押出し操作がし易く、かつ安定したレンズの押出しを可能とすることができる。
【００６４】
以上説明した各実施例は代表的な例にすぎず、本発明の実施に際しては、各実施例に対して種々の変形や変更が可能である。
【図面の簡単な説明】
【００６５】
【図１】本発明の実施例１である眼内挿入用レンズの挿入器具の上面図及び側面図。
【図２】図１の挿入器具に用いられるレンズ保持部材の上面図及び側面図。
【図３】（ａ）は図１の挿入器具（ノズル部）内でのレンズの移動初期の状態を示す平面図。（ｂ）は該ノズル部内でのレンズの移動中期の状態を示す平面図。（ｃ）は該ノズル部）内でのレンズの移動後期の状態を示す平面図。
【図４】図１の挿入器具に用いられる眼内挿入用レンズの平面図。
【図５】（ａ）は従来の挿入器具（ノズル部）内でのレンズの移動初期の状態を示す平面図。（ｂ）は該ノズル部内でのレンズの移動中期の状態を示す平面図。（ｃ）は該ノズル部内でのレンズの移動後期の状態を示す平面図。
【図６】本発明の実施例２である眼内挿入用レンズの挿入器具の上面図及び側面図。
【図７】実施例１の挿入器具の製造方法を示すフローチャート。
【符号の説明】
【００６６】
１  眼内挿入用レンズ
１ａ  光学部
１ｂ  前側支持部
１ｂｔ  （前側支持部）の先端
１ｃ  後側支持部
１０，３０  挿入器具
１１，３１  レンズ保持部材
１２，３５ａ  ノズル部
１３  レンズカバー
１４，３２  本体筒部
１５，３３  押出し軸
【図１】
2010017459.tif 000003
【図２】
2010017459.tif 000004
【図３】
2010017459.tif 000005
【図４】
2010017459.tif 000006
【図５】
2010017459.tif 000007
【図６】
2010017459.tif 000008
【図７】
2010017459.tif 000009